(57)【特許請求の範囲】
【請求項１】
動物を格納して飼育する飼育装置であって、
無端環状の多透孔帯状部材からなるコンベヤベルトを有する第１のコンベヤ装置の上側ベルトによって、動物格納室の自動搬送床部を構成すると共に、前記上側ベルトの透孔を通過した排泄物を受ける排泄物受け部を設け、
前記排泄物受け部は、無端環状の帯状部材からなり前記第１のコンベヤ装置のコンベヤベルトの環の内部を前記第１のコンベヤ装置のコンベヤベルトの移動方向と交叉する方向に移動するコンベヤベルトを有する第２のコンベヤ装置を含んで構成されるとともに、前記第２のコンベヤ装置の上側ベルトに付着した排泄物を離脱させる排泄物離脱手段を前記第１のコンベヤ装置のコンベヤベルトの環の外部において設けたことを特徴とする動物のサニタリー飼育装置。
【請求項２】
動物を格納して飼育する飼育装置であって、
無端環状の多透孔帯状部材からなるコンベヤベルトを有する第１のコンベヤ装置の上側ベルトによって、動物格納室の自動搬送床部を構成すると共に、前記上側ベルトの透孔を通過した排泄物を受ける排泄物受け部と、
前記排泄物受け部で受けられた排泄物を回収する排泄物回収手段と、回収された排泄物を監視する排泄物監視手段と、該排泄物の状態に応じた速度及び時間で前記第１のコンベヤ装置のコンベヤベルトを連続移動させる自動搬送床制御手段と、を含んで構成されることを特徴とする動物のサニタリー飼育装置。
【請求項３】
前記排泄物受け部は、無端環状の帯状部材からなり前記第１のコンベヤ装置のコンベヤベルトの環の内部を前記第１のコンベヤ装置のコンベヤベルトの移動方向と交叉する方向に移動するコンベヤベルトを有する第２のコンベヤ装置を含んで構成されるとともに、前記第２のコンベヤ装置の上側ベルトに付着した排泄物を離脱させる排泄物離脱手段を前記第１のコンベヤ装置のコンベヤベルトの環の外部において設けたことを特徴とする請求項２に記載の動物のサニタリー飼育装置。
【請求項４】
前記第１のコンベヤ装置の上側ベルトを前記動物格納室の外部で洗浄する洗浄手段を設けたことを特徴とする請求項１〜３のいずれか１つに記載の動物のサニタリー飼育装置。
【発明の詳細な説明】
【０００１】
【発明の属する技術分野】
本発明は、医療実験用又はペット用に飼育されている動物、若しくは動物舎の動物等を格納状態で飼育する飼育装置に関し、特に、飼育動物の排泄物の処理が簡便なサニタリー性の高い飼育装置に関する。
【０００２】
【従来の技術】
医療実験用又はペット用等の小動物は、金網等によって形成されたケージに格納して飼育される場合が多いが、小動物の排泄物の処理は、一般に、ケージの床に排泄物処理用のマットを敷設しておき、汚れた度にマットを取り替えるという方法で行われている。
【０００３】
特に、医療実験用の施設等、小動物を多数飼育する施設では、伝染病の蔓延を防止する為にもケージの衛生管理が重要であり、排泄物の処理及びケージ床部の清掃を頻繁に行う必要がある。
又、小動物は格納状態で飼育されるので、ストレスがたまり易く、運動不足にもなるので、運動（即ち、遊び）の機会を適度に与える必要がある。その為、連続歩行の可能な回転式玩具等をケージ内に配設した飼育装置も提案されている。
【０００４】
【発明の解決しようとする課題】
しかし、排泄物の処理及びケージ内の清掃には労力を要し、多数の小動物を飼育する施設では、その為の人員及び作業時間が多大になる。又、玩具を装備したケージを導入するにはコストがかかる。
そこで、本発明は、ケージの清掃や排泄物の処理の省力化が図れ、ケージ内の動物に適度な運動の機会を与えることができ、排泄物の実験材料又は飼料としての活用を効率化できる飼育装置の提供を目的とする。
【０００５】
【課題を解決するための手段】
上記課題を解決するために、請求項１に係る動物のサニタリー飼育装置は、動物を格納して飼育する飼育装置であって、無端環状の多透孔帯状部材からなるコンベヤベルトを有する第１のコンベヤ装置の上側ベルトによって、動物格納室の自動搬送床部を構成すると共に、前記上側ベルトの透孔を通過した排泄物を受ける排泄物受け部を設け、前記排泄物受け部は、無端環状の帯状部材からなり前記第１のコンベヤ装置のコンベヤベルトの環の内部を前記第１のコンベヤ装置のコンベヤベルトの移動方向と交叉する方向に移動するコンベヤベルトを有する第２のコンベヤ装置を含んで構成されるとともに、前記第２のコンベヤ装置の上側ベルトに付着した排泄物を離脱させる排泄物離脱手段を前記第１のコンベヤ装置のコンベヤベルトの環の外部において設けたことを特徴とする。
【０００６】
請求項２に係る動物のサニタリー飼育装置は、動物を格納して飼育する飼育装置であって、無端環状の多透孔帯状部材からなるコンベヤベルトを有する第１のコンベヤ装置の上側ベルトによって、動物格納室の自動搬送床部を構成すると共に、前記上側ベルトの透孔を通過した排泄物を受ける排泄物受け部と、前記排泄物受け部で受けられた排泄物を回収する排泄物回収手段と、回収された排泄物を監視する排泄物監視手段と、該排泄物の状態に応じた速度及び時間で前記第１のコンベヤ装置のコンベヤベルトを連続移動させる自動搬送床制御手段と、を含んで構成されることを特徴とする。
請求項３に係る動物のサニタリー飼育装置は、前記排泄物受け部が、無端環状の帯状部材からなり前記第１のコンベヤ装置のコンベヤベルトの環の内部を前記第１のコンベヤ装置のコンベヤベルトの移動方向と交叉する方向に移動するコンベヤベルトを有する第２のコンベヤ装置を含んで構成されるとともに、前記第２のコンベヤ装置の上側ベルトに付着した排泄物を離脱させる排泄物離脱手段を前記第１のコンベヤ装置のコンベヤベルトの環の外部において設けたことを特徴とする。
【０００７】
請求項４に係る動物のサニタリー飼育装置は、前記第１のコンベヤ装置の上側ベルトを前記動物格納室の外部で洗浄する洗浄手段を設けたことを特徴とする。
【０００８】
【発明の作用】
請求項１に係る動物のサニタリー飼育装置は、動物格納室の床部(即ち、自動搬送床部)を多透孔部材で構成すると共に、排泄物受け部を設けた。飼育動物の排泄物のうち、第１のコンベヤ装置のコンベヤベルトの透孔を通過可能なものは、排泄物受け部で受ける。
【０００９】
又、動物格納室の床部を、第１のコンベヤ装置によって自動搬送可能に構成した。排泄物が床部に残留したり、透孔の周りに排泄物が付着し床部が汚れたりした場合は、第１のコンベヤ装置を作動し、床部を順次新規な部分に取り替える。
更に、飼育動物の生活リズム等に合わせ、適度な時刻に、適度な時間、適度な速度で、自動搬送床部を間欠的又は連続的に移動させることによって、動物格納室の床部を動物の歩行器として機能させることもできる。また、第１のコンベヤ装置のコンベヤベルトを通過した排泄物は、第２のコンベヤ装置のコンベヤベルトによって受けられ、そして、第２のコンベヤ装置のコンベヤベルトの移動に伴い、移動先端部において、排泄物離脱手段により離脱される。
【００１０】
請求項２及び請求項３に係る動物のサニタリー飼育装置では、排泄物の状態に応じた時間及び速度で、第１のコンベヤ装置のコンベヤベルトが連続移動する。
【００１１】
請求項４に係る動物のサニタリー飼育装置では、既使用の自動搬送床部(即ち、第１のコンベヤ装置の上側ベルト)は、コンベヤベルトの移動に伴い、洗浄手段によって洗浄される。
【００１２】
【発明の実施の形態】
図１及び図２に示す動物のサニタリー飼育装置１は、ネズミ等の医療実験用の動物を、１つの動物格納室で格納状態にて飼育するものであり、ケージ部材１０、床用コンベヤ装置３０、洗浄装置５０、排泄物処理用コンベヤ装置７０、排泄物回収箱９０、を含んで構成され、支持台２に固定支持される。
【００１３】
ケージ部材１０は、動物格納室（即ち、ケージ）の天井と周側壁とを構成するものであり、天面部１１と側壁部１２、１３、１４、１５とを含んで構成される底面開放型の箱体である。
ケージ部材１０は、金属製又は樹脂製の網、或いは多透孔板等、通気可能な材料で構成されており、対向する２つの側壁部（図中の左側側壁部１５、と右側側壁部１３）に取り付けられたＬ字型の支持脚１６、１６を介して、支持台２に固定支持されている。
【００１４】
ケージ部材１０には、飼育動物の出入用の扉１７と、給水装置１８と、給餌装置１９と、が設けられている。
給水装置１８は、この飼育装置１の外部から延設される給水管の先端に形成されたノズルであり、適宜、ケージ内に水分を供給する。
給餌装置１９は、ケージ天面部１１のくり抜き部位に配設された餌皿である。かかる餌皿は、長方形の１つの角部を凹状に切り欠いた形状の底面部を有し、該底面部の周縁を起立させた形状である。
【００１５】
餌皿の長手側の起立縁部の中央には、餌皿を傾斜させる為のハンドル２０が設けられており、該ハンドル２０を図中Ａ方向に回転することによって、餌皿が傾斜する。餌をケージ内に供給する際は、切り欠かれた側を下方に傾け、飼育動物が切り欠かれた部分から餌皿内の餌を獲得できるようにする。この場合、ハンドル２０は、コンピュータ制御によって自動的に回転されても良いし、手動で回転しても良い。
【００１６】
かかるケージ部材１０の下方には、自動搬送床部を構成するための床用コンベヤ装置３０が配設されている。
床用コンベヤ装置３０は、駆動ローラ３１と、駆動ローラ３１に対して平行且つ水平に並列配置された従動ローラ３２と、これらのローラ３１、３２の間に巻掛けられた無端環状のコンベヤベルト３３と、を含んで構成され、ケージ部材１０の開放底部を下方から覆うようにして近接させ、駆動ローラ３１及び従動ローラ３２の支持脚３５、３９を介して支持台２に固定される。
【００１７】
駆動ローラ３１は、水平方向（図中左右方向）に延びる回転軸３４を有し、該回転軸３４を軸受する支持脚３５、３５を介して、支持台２に取り付けられている。
回転軸３４の一端には、駆動ローラ３１を回転させる為のモータ装置３６が連結されており、モータ装置３６と駆動ローラ３１との間には、洗浄装置５０の回転ブラシ５１を回転させる為のプーリー３７、３７が軸着されている。
【００１８】
従動ローラ３２は、回転軸３８を軸受する支持脚３９、３９を介して、支持台２に取り付けられている。
駆動ローラ３１と従動ローラ３２とには、コンベヤベルト３３が巻き掛けられており、駆動ローラ３１の回転に伴って、図中Ｂ方向に移動する。
かかるコンベヤベルト３３は、ローラ径に追従し得る程度の可撓性と、ケージの床面として機能し得る程度の緊張性及び強度を有する帯状部材によって構成され、該帯状部材には、飼育動物の排泄物が通過できる程度の透孔が多数設けられている。この場合、コンベヤベルトの材質としては、ポリエチレン、ポリ塩化ビニル製のものが好ましい。又、多透孔部材としては、網状の部材、或いは多透孔板が好ましい。
【００１９】
コンベヤベルト３３のうち上側（即ち、搬送側）に位置する部位（即ち、上側ベルト）において、ケージの自動搬送床部が形成されるように、コンベヤベルト３３の上側ベルトの周縁部は、ケージ部材１０の周側壁１２、１３、１４、１５よりも外方に張り出している。
ケージ部材１０とコンベヤベルト３３の上側ベルトとによって規制される空間が飼育動物の格納空間となる為、ケージ部材１０の周側壁（１２、１３、１４、１５）の下端部は、可能な限りコンベヤベルト３３の上側ベルトに近接させておく。
【００２０】
この場合、ケージ部材１０の周側壁のうち、少なくともコンベヤベルト３３の上側ベルトの移動先側の側壁部１２は、飼育動物の排泄物が通過できる程度の間隙２１を介して、下端部がコンベヤベルト３３の上側ベルトに近接されている。かかる間隙２１は、床用コンベヤ装置３０の上側ベルトの透孔を通過できず残留した排泄物を、コンベヤベルト３３の移動によりケージ外に排出させる為のものであり、間隙幅は、コンベヤベルト３３の透孔の口径よりも広い。
【００２１】
コンベヤベルト３３の上側ベルトの移動先側の端部には、洗浄装置５０が配設されている。
洗浄装置５０は、図３に示すように、回転ブラシ５１、洗浄ノズル５２、を含んで構成される。
回転ブラシ５１は、合成繊維等を植毛したロール体であり、駆動ローラ３１に平行に延びる回転軸５３を有する。この回転軸５３には、プーリー５４が軸着されており、該プーリー５４は、駆動ローラ３１のプーリー３７との間に巻き掛けられたクロスベルト５５によって、駆動ローラ３１の回転に連動される。これによって、回転ブラシ５１は、コンベヤベルト３３の移動方向（図中Ｂ方向）とは反対方向（図中Ｃ方向）に回転する。
【００２２】
回転ブラシ５１の回転軸５３は、支持棒５６によって軸受されており、該支持棒５６は、駆動ローラ３１の支持脚３５に、揺動可能に軸支されている。
支持棒５６は、引張コイルバネ５７を介して、駆動ローラ３１の支持脚３５に連結される。回転ブラシ５１は、回転軸５３を介して支持棒５６に支持されているので、引張コイルバネ５７の初期張力によって、コンベヤベルト３３のベルト面に押し付けられる。
【００２３】
回転ブラシ５１の下方には、複数の洗浄ノズル５２が設けられている。
洗浄ノズル５２は、この飼育装置１の外部から延設される給水管に配設されており、回転ブラシ５１とコンベヤベルト３３との間を目掛けて、洗浄水を吐出する構成である。
床用コンベヤ装置３０のコンベヤベルト３３の環の内側には、排泄物受け部としての排泄物処理用コンベヤ装置７０が配設されている。
【００２４】
排泄物処理用コンベヤ装置７０は、駆動ローラ７１と、駆動ローラ７１に対して平行且つ水平に配置された従動ローラ７２と、コンベヤベルト７３と、を含んで構成される。
駆動ローラ７１は、水平方向に延びる回転軸７４を有し、該回転軸７４を軸受する支持脚７５、７５を介し、支持台２に取り付けられている。駆動ローラ７１の回転軸７４の一端には、駆動ローラ７１を回転させる為のモータ装置７６が連結されている。
【００２５】
従動ローラ７２も回転軸７７を有し、該回転軸７７を軸受する支持脚７８、７８を介して、支持台２に取り付けられている。
排泄物処理用コンベヤ装置７０のローラ７１、７２は、床用コンベヤ装置３０のローラ３１、３２に対して直角に配置されており、これら４つのローラ７１、７２、３１、３２は、ケージ部材１０を取り囲むように配置される。
【００２６】
排泄物処理用コンベヤ装置７０のコンベヤベルト７３は、ゴム、樹脂、布、或いは紙等、可撓性を有する帯状部材からなり、駆動ローラ７１と従動ローラ７２とに巻掛けられ、床用コンベヤ装置３０のコンベヤベルト３３の移動方向（図中Ｂ方向）に対して平面上直交する方向（図中Ｄ方向）に移動する。
コンベヤベルト７３の上側ベルトは、ケージの床部（即ち、床用コンベヤ装置３３の上側ベルト）の透孔を通過した排泄物をこぼさず受け止めることができるよう、ケージ部材１０の開放底部を包含し得る面積を有する。
【００２７】
コンベヤベルト７３の上側ベルトの移動先側の端部には、排泄物回収箱９０が配置されている。
排泄物回収箱９０は、排泄物処理用コンベヤ装置７０のコンベヤベルト７３のベルト幅に対応する長さの側壁部９１，９２を有する直方体状の天面開放型の容器であり、排泄物処理用コンベヤ装置７０の側の側壁部９１の上端縁には、排泄物離脱手段としての掻取板９３が、排泄物処理用コンベヤ装置７０の側に突出させて取り付けられている。かかる排泄物回収箱９０は、掻取板９３が排泄物処理用コンベヤ装置７０のコンベヤベルト７３に摺接するように、支持台２上に配置される。
【００２８】
本実施形態の動物のサニタリー飼育装置１を医療実験用ネズミの飼育装置に適用した場合の実施例を紹介する。
ケージ部材１０は、一辺Ｌが３０ｃｍの正方形状の天面部と、高さＨが１４．７ｃｍの周側壁部とによって構成される筒型形状とした。
床用コンベヤ装置３０の駆動ローラ３１及び従動ローラ３２は、５ｃｍ径のものを使用し、３９．７ｃｍの距離Ｍをあけて配置した。コンベヤベルト３３は、３３ｃｍ程度のベルト幅Ｗを有するものを用いた。コンベヤベルト３３には、７ｍｍ程度の網目のポリエチレン製のネットを用いた。
【００２９】
ケージ部材１０の一側壁部１２とコンベヤ装置３０の上側ベルトとの間には、１ｃｍ程度の間隙２１を設けた。
排泄物処理用コンベヤ装置７０の駆動ローラ７１及び従動ローラ７２は、３ｃｍ径のものを使用し、３３．９ｃｍの距離Ｍ’をあけて配置した。コンベヤベルト７３は、３３ｃｍ程度のベルト幅Ｗ’を有するものを用いた。
【００３０】
かかるサニタリー飼育装置１の使用状態を説明する。
飼育動物は、ケージ部材１０と床用コンベヤ装置３０の上側ベルトとによって規制された空間内で飼育されている。
飼育動物の排泄物は、床用コンベヤ装置３０のコンベヤベルト３３の透孔を通過して、排泄物処理用コンベヤ装置７０のコンベヤベルト７３上に落下する。
【００３１】
コンベヤベルト７３上に落下した排泄物は、排泄物処理用コンベヤ装置７０の作動によって搬送され、上側ベルトの移動先側の端部において、掻取板９３で掻き落とされて排泄物回収箱９０内に回収される。
一方、飼育動物の排泄物が、床用コンベヤ装置３０のコンベヤベルト３３の透孔を通過せず、ベルト面に残留或いは付着してしまった場合は、床用コンベヤ装置３０を作動させて排泄物を搬送し、ケージ側壁部１２の間隙２１を通過させて、ケージ外へと排出する。
【００３２】
床用コンベヤ装置３０のコンベヤベルト３３のうち、床部として使用されていた部位（即ち、上側ベルト）は、移動先側の端部を通過した時点で、洗浄装置５０によって洗浄された後、下側に移動する。かかる既使用部位の下側への移動に伴い、下側に位置していた洗浄済の部位が、床用コンベヤ装置３０の上側に装置の長さ分移動し、新たな床部としてケージ内に供給される。この場合、床用コンベヤ装置の上側ベルトと下側ベルトとを反転する構成としても良いし、連続的に移動（即ち、連続回転）させてもよい。
【００３３】
コンベヤ装置３０は、連続的な移動によって歩行器として機能させることもできる。例えば、飼育動物が医療実験用のネズミの場合は、平均１ｍｍ／秒の速度での５分間程度の連続移動が適する。これによって、格納状態のネズミに、適度な運動の機会が与えられる。
尚、本実施形態のサニタリー飼育装置１において、飼育動物の生活サイクルに応じてプログラムされた操作方法、或いは回収された排泄物を監視し、その排泄物の状態に応じてプログラムされた操作方法によって、飼育装置の各部（即ち、給水装置１８、床用コンベヤ装置３０、洗浄装置５０、排泄物処理用コンベヤ装置７０等）を、自動的、或いはマニュアル的に作動させる構成としてもよい。
【００３４】
かかる構成は、例えば、図４に示すような飼育装置作動システム１００によって可能となる。
かかる飼育装置作動システム１００は、排泄物回収装置１１０、排泄物検査装置１２０と、制御装置１３０と、スイッチ装置１４０と、を本実施形態のサニタリー飼育装置１に追加することによって可能となる。
【００３５】
排泄物回収装置１１０は、排泄物受け部９０から排泄物回収管１１１を介して回収器１１３、１１５に排泄物を回収する構成である。排泄物回収管１１１には、スイッチ装置１４０が介装されており、スイッチ装置１４０により電磁バルブ１１４、１１６が作動されることによって、排泄物の性状（即ち、乾燥糞と汚水・汚物等）が分類され、夫々の回収排泄物がバキューム機構によって各回収器１１３、１１５内に収容される。
【００３６】
排泄物検査装置１２０は、回収された排泄物の量、性状、成分及び排泄の回数等を、目視や成分分析等によって監視し、その結果を制御装置１３０へと出力する構成である。排泄物の監視は、人間が行ってもよいし、測定機器によって自動的に行ってもよい。又、制御装置１３０への出力は、測定機器から自動的に入力されるものであってもよいし、オペレータが手入力するものであってもよい。
【００３７】
制御装置１３０は、検査結果入力部１３１と動作情報記憶部１３３と制御信号出力部１３５とを含んで構成され、排泄物の状態に応じてサニタリー飼育装置各部の作動を制御する。
検査結果入力部１３１には、排泄物検査装置１２０からの検査結果Ｋが入力される。
【００３８】
動作情報記憶部１３３では、排泄物の回収目的や排泄物の状態に応じ、給水装置１８、床用コンベヤ装置３０、洗浄装置５０、排泄物処理用コンベヤ装置７０、排泄物回収装置１１０毎に、適切な動作をプログラミングした動作情報を、データベースとして保有する。
制御信号出力部１３５では、検査結果入力部１３１に入力された検査結果Ｋに基づいて、動作情報記憶部１３３のデータベースの中から最適な動作情報を選択し、制御信号Ｓとして出力する。
【００３９】
スイッチ装置１４０は、サニタリー飼育装置１の各装置１８、３０、５０、７０、１１０と制御装置１３０との間に介装されており、制御装置１３０からの制御信号Ｓに基づいて各部を動作させる構成である。即ち、給水装置１８や洗浄装置５０に対しては給水用電磁バルブ１４１、１４２の開閉を行い、床用コンベヤ装置３０や排泄物処理用コンベヤ装置７０に対してはモータ装置３６、７６のスイッチングを行い、排泄物回収装置１１０に対しては回収選択用の電磁バルブ１１４、１１６の開閉等を行う。
【００４０】
本飼育装置作動システム１００によれば、排泄物の性状及び排泄回数等に応じて床用コンベヤ装置３０や洗浄装置５０を作動させてもよいし、排泄物から特定成分のものが選別回収されるように排泄物回収装置１１０を作動させてもよいし、回収された排泄物から飼育動物の健康状態を判断し、これに応じた速度及び時間で、床用コンベヤ装置３０のコンベヤベルト３３を連続移動（即ち、歩行器として機能）させてもよい。
【００４１】
特に、実験用動物や治療対象動物等、回収された排泄物等を研究や検査の為に使用する場合は、正確な判断及び操作を期するために、コンピュータによる制御システムとすることが好ましい。
尚、本発明のサニタリー飼育装置は、上記実施形態にかかわらず、飼育動物の種類に応じ、その大きさ、生育環境、飼育目的、及び排泄物の状態に適するように構成するのが好ましい。
【００４２】
又、本実施形態においては、モータ装置によってコンベヤ装置を駆動させたが、駆動ローラに取り付けられた回転ハンドル等によって手動で動かしてもよい。
又、床用コンベヤ装置にあっては、飼育動物の歩行によってコンベヤベルトが駆動する構成としてもよい。この場合、歩行によって床部に与えられる後方への蹴り上げ力によって、歩行方向後方にコンベヤベルトが移動する。かかる構成では、モータ装置等の駆動手段が不要であるという利点に加え、ケージ内に回転式玩具を装備したのと同様の効果が期待できる。
【００４３】
又、ケージの側壁部の間隙は必ずしも必要ではないし、或いは２箇所以上に間隙を形成してもよい。
又、洗浄装置も、必ずしも必要ではないし、本実施形態とは異なる構成であってもよい。即ち、洗浄手段とは、多透孔帯状部材であるベルト面を清潔にすることができるものであれば如何なる構成であってもよく、例えば、汚れを擦り落とす手段（ブラシ等）であっても、汚れを洗い流す手段（洗浄ノズル等）であっても、或いは、洗浄に加えて乾燥・殺菌処理等を行う手段であってもよい。
【００４４】
洗浄装置の具体的構成としては、水はね防止用のカバーを回転ブラシの周囲に設けたもの、水分を含ませたスポンジ等をベルト面に押しつけたもの等、様々な態様が考えられる。
又、排泄物受け部においても、本実施形態のものとは異なる形態でも良く、例えば、取り外し可能な受け皿として構成してもよい。
【００４５】
又、排泄物処理用コンベヤ装置は、床用コンベヤ装置のコンベヤベルトの環の内部に配置するのではなく、環の外部（即ち、下側ベルトの下方）に配置してもよい。但し、この場合は、床用コンベヤ装置の上側ベルトの移動元側の端部において、コンベヤベルトを洗浄する構成とするのが好ましい。
更に、排泄物離脱手段は、必ずしも存在しなくともよいし、異なる構成（例えば、上記洗浄装置の如き構成）であってもよい。
【００４６】
【発明の効果】
請求項１に係る発明によれば、動物格納室の床部を無端環状のコンベヤベルトの上側ベルトによって構成したので、既使用の汚れた床部（即ち、上側ベルト）を、未使用の下側ベルトに容易に取り替えることができる。又、飼育動物の活動時間に合わせて、動物格納室の床部を連続的に移動させれば、歩行器として床部を機能させることもでき、飼育動物に運動や遊びの機会を与えることができる。
【００４７】
又、床面部の透孔を通過した排泄物を排泄物受け部で受けるので、排泄物の処理が簡便である。
これによって、排泄物の処理、動物格納室の床部の清掃等の手間が大幅に削減されると共に、飼育動物の健康的な飼育が可能となる。
請求項２に係る発明では、既使用の床部を、動物格納室の外部で洗浄するので、ケージの床部の清掃が一層簡単になる。
【００４８】
請求項３に係る発明は、排泄物受け部を無端環状のコンベヤベルトで構成したので、その上側ベルトの移動先側の端部で排泄物を回収することができ、排泄物受け部の清掃が省力化される。
請求項４に係る発明によれば、排泄物の有効な利用が促進され、排泄物の回収目的に応じた第１コンベヤ装置の操作が可能となる。これによって、動物格納室の自動搬送床部の清掃、排泄物の処理等を自動化することが可能となり、人員を大幅に削減することが出来る。
【図面の簡単な説明】
【図１】本発明の動物のサニタリー飼育装置を示す斜視図。
【図２】上記サニタリー飼育装置を示し、（ａ）は平面図であり、（ｂ）は正面図。
【図３】上記サニタリー飼育装置の床面用コンベヤ装置の洗浄装置を示す部分拡大図。
【図４】上記サニタリー飼育装置の飼育装置作動システム１００を示すブロック図。
【符号の説明】
１…サニタリー飼育装置
３０…床用コンベヤ装置（第１のコンベヤ装置）
３３…コンベヤベルト
５０…洗浄装置(洗浄手段)
７０…排泄物処理用コンベヤ装置(第２のコンベヤ装置)
７３…コンベヤベルト
９３…掻取板（排泄物離脱手段）
１１０…排泄物回収装置（排泄物回収手段）
１２０…排泄物検査装置（排泄物監視手段）
１３０…制御装置（自動搬送床制御手段）
１４０…スイッチ装置１４０（自動搬送床制御手段）
【図１】
0004596669.tif 000002
【図２】
0004596669.tif 000003
【図３】
0004596669.tif 000004
【図４】
0004596669.tif 000005